(57)【要約】【課題】  無線通信にて、省電力の画像転送が行える。【解決手段】  無線通信にて画像転送を行う場合、転送中は液晶表示部のバックライトを、点灯状態の最低レベルに設定する。そして、転送中に、所定時間経過した場合には、バックライトをオフにする。また、転送中に、エラーが発生した場合には、バックライトを点灯して、エラー表示し、そのまま何の操作もないまま所定時間経過した場合には、撮像装置の電源をオフにする。【選択図】  図４
2014131224.tif 000002
【特許請求の範囲】
【請求項１】
無線通信手段、撮像手段、バックライトを有する表示手段を有し、前記撮像手段で撮像して得られた画像を所定の記憶媒体に格納する撮像装置であって、
前記無線通信手段を介して、外部装置へ前記記憶媒体に記憶された画像を転送する転送手段と、
該転送手段による転送を開始した場合、或いは、転送中に所定の有効な操作が行われた場合、前記表示手段のバックライトを予め設定された第１の輝度まで下げ、
前記転送が完了する前に前記第１の輝度まで下げた状態が所定時間経過した場合には、前記バックライトをオフにする制御手段と
を有することを特徴とする撮像装置。
【請求項２】
前記制御手段は、
前記転送中にエラーが発生したか否かを判定する判定手段と、
該判定手段でエラーが発生したと判定した場合、前記表示手段のバックライトを第２の輝度にしてエラーを表示し、当該エラーを表示したまま有効な操作がないまま予め設定された時間が経過した場合、撮像装置のメイン電源をオフにする手段と
を有することを特徴とする請求項１に記載の撮像装置。
【請求項３】
前記制御手段は、有効な操作と非有効な操作とを区別するためのテーブルを参照して、ユーザの操作が前記有効な操作か否かを判定することを特徴とする請求項１又は２に記載の撮像装置。
【請求項４】
前記第１の輝度は、前記バックライトを点灯状態の最低レベルとすることを特徴とする請求項１乃至３のいずれか１項に記載の撮像装置。
【請求項５】
無線通信手段、撮像手段、バックライトを有する表示手段を有し、前記撮像手段で撮像して得られた画像を所定の記憶媒体に格納する撮像装置の制御方法であって、
前記無線通信手段を介して、外部装置へ前記記憶媒体に記憶された画像を転送する転送工程と、
該転送工程による転送を開始した場合、或いは、転送中に所定の有効な操作が行われた場合、前記表示手段のバックライトを予め設定された第１の輝度まで下げ、
前記転送が完了する前に前記第１の輝度まで下げた状態が所定時間経過した場合には、前記バックライトをオフにする制御工程と
を有することを特徴とする撮像装置の制御方法。
【請求項６】
無線通信手段、撮像手段、バックライトを有する表示手段する撮像装置におけるＣＰＵが実行するプログラムであって、
前記ＣＰＵを、
前記無線通信手段を介して、外部装置へ前記記憶媒体に記憶された画像を転送する転送手段、
該転送手段による転送を開始した場合、或いは、転送中に所定の有効な操作が行われた場合、前記表示手段のバックライトを予め設定された第１の輝度まで下げ、
前記転送が完了する前に前記第１の輝度まで下げた状態が所定時間経過した場合には、前記バックライトをオフにする制御手段
として機能させるためのプログラム。
【発明の詳細な説明】
【技術分野】
【０００１】
本発明は、画像転送装置に関し、特に画像転送中の省電力対応に関するものである。
【背景技術】
【０００２】
近年、デジタルカメラやデジタルカメラを搭載した機器（携帯電話や携帯端末等）が急速に普及している。これらの機器では、撮影した画像情報をデジタルデータのファイルとして、機器に内蔵または装着されたメモリカード等の記録メディアに記録することが一般的である。そして、画像データファイル形式のため、通信によって容易に画像情報を送受信可能である。
【０００３】
無線通信によるデータ通信は比較的大きな電力を必要とする。電池を使用して駆動するデジタルカメラは、使用できる電流の容量に限りがあるため無線通信機能の搭載により電流の使用量が増加して動作可能時間が短くなること、また動作不能状態に陥ってしまうという問題がある。
【０００４】
係る点に鑑み、例えば、特許文献１では電流のピーク容量を超えてしまうのを防ぐために、送信出力に応じて消費電力を変更する方法が開示されている。  
【先行技術文献】
【特許文献】
【０００５】
【特許文献１】特開２００６−２７０５３７号公報
【発明の概要】
【発明が解決しようとする課題】
【０００６】
しかしながら、上述の特許文献１に開示された従来技術では、通信先のデバイスの違いを考慮していないため、どのデバイスと接続しても一律の動作モード変更処理となってしまう。
【０００７】
この明細書では、接続先デバイスや通信の種類に応じて省電力対応を考慮しデジタルカメラの液晶表示を変更した画像転送装置について説明する。
【課題を解決するための手段】
【０００８】
この課題を解決するため、例えば明細書の撮像装置は以下の構成を備える。すなわち、  無線通信手段、撮像手段、バックライトを有する表示手段を有し、前記撮像手段で撮像して得られた画像を所定の記憶媒体に格納する撮像装置であって、
前記無線通信手段を介して、外部装置へ前記記憶媒体に記憶された画像を転送する転送手段と、
該転送手段による転送を開始した場合、或いは、転送中に所定の有効な操作が行われた場合、前記表示手段のバックライトを予め設定された第１の輝度まで下げ、
前記転送が完了する前に前記第１の輝度まで下げた状態が所定時間経過した場合には、前記バックライトをオフにする制御手段とを有する。
【発明の効果】
【０００９】
本発明によれば無線通信にて、省電力の画像転送が行える。
【図面の簡単な説明】
【００１０】
【図１】実施形態のデジタルカメラの構成例を示す図。
【図２】第１の実施形態に係る相手接続種別の選択画面の一例を示す図。
【図３】第１の実施形態におけるデジタルカメラの通信形態を示す図。
【図４】第１、第２の実施形態に係るデジタルカメラの表示画面の遷移図。
【図５】第１の実施形態の形態に係るデジタルカメラの処理を示すフローチャート。
【図６】第１の実施形態の形態に係るデジタルカメラの処理を示すフローチャート。
【図７】第１の実施形態の形態における画像転送中に参照するテーブルを示す図。
【図８】第２の実施形態におけるデジタルカメラ、スマートフォンそれぞれの表示画面の遷移図。
【図９】第２の実施形態におけるデジタルカメラの処理を示すフローチャート。
【図１０】第２の実施形態における画像転送中に参照するテーブルを示す図。
【発明を実施するための形態】
【００１１】
以下、添付図面に従って本発明に係る実施形態を詳細に説明する。なお、実施形態では、無線通信装置としてデジタルカメラに適用した例を説明する。ただし、カメラ付き携帯電話（一般にスマートフォンと呼ばれるデバイスも含む）やタブレットデバイスなどでもよいので、デジタルカメラに限定されるものではない。
【００１２】
［第１の実施形態］
＜１．ハードウェア構成＞
図１は、本実施形態におけるデジタルカメラ１００の構成例を示す図である。図中、１０はレンズバリア、１１は撮影レンズ、１２は絞り機能を備えるシャッターであり、撮像制御部１３によって制御される。撮像素子１４は光学像を電気信号に変換する、ＣＭＯＳイメージセンサやＣＣＤイメージセンサである。画像処理回路１５は、撮像素子１４からのデータ或いはメモリ制御回路１６からのデータに対して画素補間処理や色変換処理等の画像処理を行う。メモリ制御回路１６は、画像処理回路１５が出力する画像データを例えばメモリ１８に書き込む。
【００１３】
画像表示部１７は例えばＬＣＤ等であり、メモリ１８に書き込まれた表示用の画像データはＤ／Ａ変換されて画像表示部１７で表示される。
【００１４】
メモリ１８は撮影した静止画像や動画像を格納するために用いられ、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ１８に対して行うことが可能となる。また、メモリ１８はシステム制御部５０の作業領域としても使用することが可能である。
【００１５】
システム制御部５０は撮影画像の被写体認識処理や、被写体認識結果と管理データの照合処理や、ステータスデータの生成処理など、本実施形態で必要な各種処理を実行すると共に、デジタルカメラ１００全体を制御する。システム制御部５０は例えばＣＰＵ，ＲＡＭ，ＲＯＭを内蔵しており、ＲＯＭに記憶された制御プログラムをＲＡＭにロードしてＣＰＵで実行することにより、デジタルカメラ１００の動作を実現する。不揮発性メモリ５１はシステム制御部５０の動作用の定数、変数、プログラム等を記憶することができる。  
【００１６】
また、この不揮発性メモリ５１には、通信制御部６０を介して過去に接続した経験のある通信相手装置、並びに、その通信相手装置と接続した際の通信に係る環境を表わすための接続情報を記憶することも可能になっている。環境を表すための接続情報は、ネットワークを形成するアクセスポイントに接続した際に登録される。環境を表すための接続情報には、アドホック／インフラストラクチャーのいずれであるのか、インフラストラクチャーの場合にはアクセスポイントのＳＳＩＤや暗号化キー等が含まれる。通信相手装置に関する接続情報は、ネットワークを介して通信相手装置と通信を確立する際に相手から情報を受信することで登録される。通信相手装置に関する接続情報は、例えば通信相手のデバイス名やＵＵＩＤ、通信相手の機種種別（カメラなのか、スマートフォンなのか、サーバーなのか）などが含まれる。なお、機種種別は後述する図２の画面にて選択された機種種別を登録してもよい。また、接続情報の登録は、通信を行っている最中、もしくは直後にユーザの指示によってなされてもよい。
【００１７】
画像処理部５２は、静止画のリサイズ処理などの各種画像処理を行う。通信制御部６０はアンテナ６１と接続され、外部機器との無線通信機能を制御する。操作部７０は、ユーザがデジタルカメラ１００に各種の動作指示を入力するための入力装置群であり、スイッチ、ボタン、ダイヤル、タッチパネル、視線検知によるポインティング、音声認識装置等、様々な入力装置の一つ以上で構成される。
【００１８】
カードコントローラ９０は、メモリカード等の外部記憶媒体とデータの送受信を行う。インタフェース（Ｉ／Ｆ）９１は、メモリカード等の外部記憶媒体とのインタフェースである。コネクタ９２には、メモリカード等の外部記憶媒体が装着可能である。外部記憶媒体９３はメモリカード等の着脱可能な記憶媒体である。記憶媒体着脱検知部９４は、コネクタ９２に外部記憶媒体９３が装着されているか否かを検知する。
【００１９】
システム制御部５０は、操作部７０から無線接続の設定に係る指示を受けると、不揮発性メモリ５１を参照し、ユーザにその設定を行なわせるためにのメニューを画像表示部１７に表示させる。図２は、その際に表示される無線メニューの例である。図２の例では、デジタルカメラ、携帯電話機（スマートフォン）、ＰＣ、Ｗｅｂ、サーバー経由転送の５つが選択可能なアイコンで表示されている。
【００２０】
ユーザは操作部７０を操作していずれかのアイコンを選択し、決定の入力を行う。この操作を検出すると、システム制御部５０は、ユーザが選択したアイコンに対応する相手機器種を示す情報を一旦、メモリ１８に記憶し、通信制御部６０を介しての接続処理を行う。デジタルカメラ、スマートフォン、ＰＣはそれぞれのデバイスに画像を転送することができる。Ｗｅｂは無線接続経由でＷｅｂ上の画像公開サービスに画像を送信することができる。サーバー経由転送は、サーバー経由で自宅のＰＣに画像を転送することができる機能である。
【００２１】
図３（ａ）は実施形態のデジタルカメラ１００がスマートフォンと通信している図の例である。この通信形態へは、図２の無線メニューからスマートフォンのアイコンを選択することで遷移し、デジタルカメラ１００がスマートフォンと無線で接続し、画像を接続先のスマートフォンに転送することができる。図３（ａ）ではデジタルカメラ１００とスマートフォンはそれぞれアクセスポイントに接続し、アクセスポイントを経由して通信を行い画像の転送を行う。
【００２２】
図３（ｂ）はサーバー経由転送の図の例である。デジタルカメラ１００がアクセスポイントを経由してサーバーと無線で接続して画像の転送を行い、ＰＣがアクセスポイントを経由してサーバーに接続し、デジタルカメラ１００がサーバーに転送した画像を取得する。なお、この例では違うアクセスポイントを経由してデジタルカメラ１００とＰＣはそれぞれサーバーに接続しているが、同じアクセスポイントを経由してもよい。また、ＰＣとサーバーの接続は無線接続に限らず有線接続でもよい。以下の説明では、デジタルカメラ１００からサーバーまでの画像転送について述べる。なお、サーバーに転送された画像はＰＣをインターネットに接続することでダウンロードすることが可能である。
【００２３】
図４（ａ）は本実施形態に係るデジタルカメラ１００とスマートフォンの接続、画像転送時の画面遷移を示した図である。また、図５は本実施形態に係るデジタルカメラ１００のシステム制御部５０が実行する、デジタルカメラ１００とスマートフォンの通信処理手順を示すフローチャートである。デジタルカメラ１００の不揮発性メモリ５１には既に説明したように、過去に接続経験のある他の相手機器との接続情報が記憶されているものとする。なお、接続情報には通信パラメータ（無線ＬＡＮパラメータ）、ネットワーク設定情報および相手機器情報が含まれるものとする。
【００２４】
ユーザが、操作部７０より図２の画面にて「スマートフォン」のアイコンを選択し、確定指示を行ったとする。この場合、システム制御部５０は、不揮発性メモリ５１に格納された情報を参照し、スマートフォンとして登録された接続情報を読み出し、まずアクセスポイントへの接続処理を行う（Ｓ５００１）。接続するアクセスポイントはユーザ操作により選択してもよいし、前述した接続情報を参照して以前接続したことのあるアクセスポイントに接続してもよい。
【００２５】
ここで他のアクセスポイントに接続したい場合は、違うアクセスポイントを選択することもできるし、デジタルカメラ１００自身がアクセスポイントモードとして接続をすることもできる。アクセスポイントに接続すると、システム制御部５０は、スマートフォン側でデジタルカメラ１００と通信するための専用のアプリケーションの起動を促す画面４００１に遷移する。このとき、デジタルカメラ１００はスマートフォンからの接続要求を待機している状態となっている。スマートフォン側でユーザ操作による起動の指示があると、スマートフォンは専用のアプリケーションを起動し、デジタルカメラ１００との接続要求を送信する。デジタルカメラ１００は接続要求の受信を、専用アプリケーションの起動して検知し（Ｓ５００２）、スマートフォンに応答を送信する。そしてスマートフォンと種々の情報を交換することでスマートフォンとの接続を完了させる。なお、本実施形態ではデジタルカメラ１００はＰＴＰ／ＩＰ（Ｐｉｃｔｕｒｅ  Ｔｒａｎｓｆｅｒ  Ｐｒｏｔｃｏｌ  Ｏｖｅｒ  ＩＰ）を用いて装置間接続を確立するものとする。接続が完了した後、システム制御部５０は画像選択画面４００２を表示する（Ｓ５００３）。画像選択画面４００２には、「選んで送信」と「この画像を送信」の２つのボタンが表示される。そこで、システム制御部５０は、操作部７０の操作を検出し、ユーザにいずれかの選択を行なわせる（Ｓ５００４）。ボタン「選んで送信」は、複数の画像を選択した後に、送信指示ボタン（不図示）を指示したときに、それら複数の選択画像を送信するモードであり、ボタン「この画像を送信」は、それが指示された際に表示された１枚の画像を送信するモードである。
【００２６】
上記のようにして送信指示入力を検出すると、システム制御部５０は、選択した画像の送信処理を開始すると共に、画像表示部１７の画面に画像送信画面に遷移させる（Ｓ５００５）。このとき、画像の転送中は、電力消費を抑えるために液晶の明るさは、バックライトの点灯状態での最低レベル（第１の輝度）に設定する（Ｓ５００６）。液晶の明るさを最低レベルに設定した画面例が図４（ａ）の画面４００３である。液晶の明るさが最低レベルよりも高かった場合、画像の転送画面に遷移した時点で液晶の明るさが送信前よりも暗くなる。画像の転送が完了すると送信完了画面４００４が表示される（Ｓ５００７）。送信完了後は、再び画像再生画面４００２が表示され、再度画像を選択して転送することができる。システム制御部５０は、画像再生画面４００２において、ユーザが操作部７０に設けられた通信終了指示ボタンを操作したこと検出した場合、通信制御部６１による通信を切断する（Ｓ５００８）。
【００２７】
図４（ｂ）は本実施形態に係るサーバー経由転送のデジタルカメラ１００とサーバーとの接続における画面遷移を示した図である。また、図６は本実施形態に係るデジタルカメラ１００とサーバーの通信処理の流れを示すフローチャートである。デジタルカメラ１００は過去に他の相手機器と無線接続したことがあり、不揮発性メモリ５１には接続した相手機器の接続情報が記憶されているものとする。なお、接続情報には通信パラメータ（無線ＬＡＮパラメータ）、ネットワーク設定情報および相手機器情報が含まれるものとする。図２の無線メニューからサーバー経由転送を選択するアイコンを選択し、確定指示が入力された場合、不揮発性メモリ５１から該当する接続情報を読み込み、設定されたアクセスポイントに接続する（Ｓ６００１）。ここで他のアクセスポイントに接続したい場合は違うアクセスポイントを選択することができる。アクセスポイントへ接続後のサーバーへの接続への接続処理中（ログイン手続も含むものとする）、システム制御部５０は画像表示部１７にサーバー接続中を表わす画面４１０１を表示する。
【００２８】
サーバーへの接続が完了する（Ｓ６００２）と、システム制御部５０は、外部記憶媒体９３に記録された全画像の接続先サーバ−への転送を自動的に開始する（Ｓ６００３）。また、システム制御部５０は、画像表示部１７の明るさ（バックライト）を、デジタルカメラ１００で設定できる最低レベルに設定する（Ｓ６００４）。図４（ｂ）は、液晶の輝度を最低レベルに下げた画面の例である。
【００２９】
次で、システム制御部５０は、液晶のバックライトをオフするためのカウントをリセットする。画面４１０２の画面表示中、一定時間経過したら液晶のバックライトをオフする（Ｓ６００９）。実施形態では、この時間を１分に設定してあるが、ユーザが自由に設定変更しても構わない。画面４１０６はバックライトをオフした画面の例である。
【００３０】
Ｓ６００５でカウントをリセット後、１分経過する前にユーザの操作を検出し、それが有効なボタン操作であった場合（Ｓ６００７、６００８）、液晶のバックライトをオフするためのカウントを再びリセットする（Ｓ６００５）。ユーザ操作をしても、有効なボタン操作でなかった場合は液晶のバックライトをオフするためのカウントをリセットしない。
【００３１】
有効なボタン操作か、非有効なボタンかの区別は、図７に示すテーブルに基づき、システム制御部５０が行う。このテーブルは、不揮発性メモリ５１に記憶されているものである。このテーブルには、液晶の明るさを下げた画面（４１０２）と、バックライトオフの画面（４１０６）で有効なユーザ操作との関係を示している。
【００３２】
ここで、カウンタのリセット後に１分経過してＳ６００９でバックライトオフされた後に、ユーザ操作を検出した場合、システム制御部５０は、その操作が有効なボタン操作であるか否かを判定する（Ｓ６０１１）。そして、その操作が有効な操作であると判定した場合、バックライトをオンし、液晶の明るさ設定を最低レベルにする（Ｓ６００４）。無効なボタン操作であれば何もしない。
【００３３】
上記の画面制御処理中、システム制御部５０は、画像の転送終了を判定し、転送が終了したか否かを判定する（Ｓ６０１２）。もし、転送が完了した場合には、システム制御部５０は、バックライトを予め設定したレベルで点灯させ、転送完了画面４１０３を表示する（Ｓ６０１３）。そして、転送完了画面が表示された時点で無線の接続を切断する（Ｓ６０１４）。転送が完了し、ＯＫボタンが押下されたら再生画面に遷移するが、転送完了画面が表示されたまま一定時間ユーザ操作がなかった場合は電源をオフする（画面４１０４）。
【００３４】
上記実施形態では、バックライトをオフに移行するまでの時間を１分として説明したが、この時間は、ユーザが適宜変更可能であって、設定した時間は不揮発性メモリ５１に記憶され、変更しない限り、その値は保持される。
【００３５】
次に、画像の送信中に通信エラーが発生した場合について述べる。
【００３６】
サーバーとの無線接続が完了する前に何らかの通信エラーが発生した場合は、システム制御部５０は画像表示部１７に通信エラー画面４１０５を表示する。この時点ではまだサーバーとの通信が確立していないため、エラー画面はユーザ操作があるまで表示し続ける。
【００３７】
また、サーバーとの通信が確立した後で、画像送信が完了する以前（つまり、送信中）に通信エラーが発生した場合にも、システム制御部５０は通信エラー画面４１０７を表示する。このときのバックライトは、ユーザが画面を操作しているときの明るさとして設定したレベル（第２の輝度レベル）であって、少なくとも転送中を示す最低レベル以上の輝度とする。エラーが発生した場合、先ず、そのエラーが目立つ必要があるからである。ただし、一度画像の転送が開始された後に発生したエラー画面４１０７に関しては、エラー画面表示後、所定時間経過した場合に、デジタルカメラ１００のメイン電源をオフする（画面４１０４）。一度画像の転送が開始された後に発生したエラーに関してはユーザがそばで操作している可能性が低い。サーバー経由転送はメモリカードの中身をすべてサーバーに転送するために大量の画像を送信することが多いため、転送完了までユーザがそばで操作をしていることは考えにくいためである。エラー画面を表示し続けた結果、電池がなくなってしまうことをさけるため、ユーザが操作をしないと考えられる状況においては電源をオフすることによって必要以上に電池を消費することを避けることができる。
【００３８】
このように状況に応じて液晶の輝度下げ、バックライトのオフ、電源オフを行うことにより、画像転送時の電池の消費を抑えることが可能となる。
【００３９】
［第２の実施形態］
上記第１の実施形態では図２のように無線メニューから各デバイスに接続した場合について説明したが、図１の操作部７０において、デバイスに直接接続するボタンがあった場合を、第２の実施形態として説明する。なお、第１の実施形態と共通の部分の説明は省略する。
【００４０】
図１の操作部７０において予め設定したデバイスに直接接続できるボタン（簡単接続ボタンと呼ぶ）に接続した場合を例に説明する。この簡単接続ボタンが操作された際の接続デバイスは１つだけとなり、デジタルカメラ１００のユーザが頻繁に転送するデバイスとして予め登録したデバイスとなる。
【００４１】
本実施形態では簡単接続ボタンでの接続相手に所定のスマートフォンが登録された場合を例に説明する。以下、スマートフォンが登録された状態で、簡単接続ボタンが操作された例を説明する。
【００４２】
簡単接続ボタンが操作された場合、デジタルカメラ１００はネットワークへの参加を試みる。参加するネットワークの選択方法は何種類か考えられる。本実施形態では、予め所望のネットワークＩＤを簡単接続用に登録しておくものとする。他の方法として、今までに接続したことのあるアクセスポイントのうち、直近に接続したアクセスポイントに接続してもよい。また、デジタルカメラ１００にアクセスポイント機能を内蔵し、簡単接続ボタンの押下に応じてデジタルカメラ１００自身がネットワークを形成してもよい。ネットワークを介してデジタルカメラ１００とスマートフォンとの接続を確立する方法は第１の実施形態と同様であり、デジタルカメラ１００はスマートフォンからの接続要求を待機し、接続要求の受信に応じて接続を確立する。したがって、本実施形態におけるデジタルカメラ１００のユーザは、簡単接続ボタンを押下すれば、その後デジタルカメラ１００側の操作を行わなくとも、スマートフォンとの接続まで完了させることができる。デジタルカメラ１００との接続を確立した後、スマートフォンは、デジタルカメラ１００に無線でアクセスし、外部記憶媒体９３に記憶された画像のサムネイルを受信する。そしてスマートフォンは受信したサムネイルの一覧を表示し、必要な画像をユーザが選択できるようにする。以下、図８（ａ）、（ｂ）及び図９のフローチャートに従って更に詳しく説明する。  
【００４３】
簡単接続ボタンが操作されたことを検出すると、システム制御部５０は、その簡単接続ボタンに割り当てられた接続情報を不揮発性メモリ５１から読み込む。そして、システム制御部５０は、そのアクセスポイントに接続する。アクセスポイントへの接続が行われるとスマートフォン側での専用アプリケーションを起動を促す画面８００１（図８（ａ））を表示する（Ｓ９００１）。スマートフォン側での専用アプリケーションの起動を検知すると（Ｓ９００２）、デジタルカメラ１００はスマートフォンと接続を確立する。また、このとき、システム制御部５０は、画像表示部１７に、スマートフォンとの接続中であることを示すための画面８００２（図８（ａ））を表示する。そして、スマートフォンの接続が完了する、すなわち、スマートフォンからの接続を検出すると（Ｓ９００３）、システム制御部５０は上記第１の実施形態と同様に、省電力処理を行う（Ｓ９００４）。すなわち、輝度レベルを最低にして画面８００２を表示する。この後、スマートフォンとの通信内容に応じてサムネイルを送信したり、画像を送信したりすることが可能となる。
【００４４】
そして、システム制御部５０は、スマートフォンからの切断要求があるまで待つ（Ｓ９００５）。切断要求があると、専用アプリケーションを終了する。ここで、Ｓ９００４で輝度レベルを最低にしてからＳ９００５の通信切断まので間にデジタルカメラ１００上で行われる省電力処理については、図６のＳ６００４からＳ６０１４と同様である。そのときの有効なボタンを図１０に示す。また、エラー発生時の省電力処理についても実施例１と同様である。
【００４５】
一方、スマートフォン側の動作についても説明する。デジタルカメラ１００の簡単接続ボタンを操作した後、ユーザはスマートフォンを操作し、専用のアプリケーションを起動させる。図８（ａ）の画面８１０１はこのときのスマートフォンの画面である。接続が確立すると、スマートフォンのアプリケーションを実行しているＣＰＵは、デジタルカメラ１００から、各画像を示すサムネイル画像を取得し、図８（ｂ）の画面８１０２に示すようにファイル一覧として表示する。そこで、必要なサムネイル画像にチェックを入れる操作を行ない、保存ボタン（画面左下）を操作することで、選択した画像をデジタルカメラ１００にまとめて要求し、受信することができる。なお、スマートフォンの操作部に設けられた所定のボタンが操作された場合や、スマートフォンの電源オフボタンが押下された場合、切断要求がデジタルカメラ１００に通知され、一連の通信が終了する。
【００４６】
なお、上記実施形態では、デジタルカメラ１００にて専用アプリケーションを起動させてＰＴＰ／ＩＰで通信することとした。しかし、デジタルカメラ側に、ＦＴＰサーバー、Ｗｅｂサーバーといったサーバー機能を実装し、デジタルカメラ１００からのアクセスを受け付けるようにしても構わない。
【００４７】
以上、本発明の好ましい実施形態について説明したが、本発明はこれらの実施形態に限定されず、その要旨の範囲内で種々の変形及び変更が可能である。
【００４８】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014131224.tif 000003
【図２】
2014131224.tif 000004
【図３】
2014131224.tif 000005
【図４】
2014131224.tif 000006
【図５】
2014131224.tif 000007
【図６】
2014131224.tif 000008
【図７】
2014131224.tif 000009
【図８】
2014131224.tif 000010
【図９】
2014131224.tif 000011
【図１０】
2014131224.tif 000012